(57)【特許請求の範囲】
【請求項１】
発光部と、持ち運び可能であるとともに到達範囲が限られる第１制御信号を送信する外部リモコンからの前記第１制御信号を受信可能な第１受信部と、外部照明装置から前記第１制御信号に由来する第２制御信号を受信可能な第２受信部と、前記第１受信部および前記第２受信部の受信信号に基づいて前記発光部を制御する制御部とを有し、前記制御部は、前記発光部が点灯中であり且つ前記第１受信部が前記第１制御信号の到達範囲外にある状態で、前記第２受信部が、前記外部照明装置を点灯させる前記第１制御信号に由来して前記発光部を消灯させる前記第２制御信号を受信したときは前記発光部を消灯させることを特徴とする照明装置。
【請求項２】
前記制御部は、前記第１制御信号および前記第２制御信号のいずれによっても前記発光部を制御することを特徴とする請求項１記載の照明装置。
【請求項３】
前記制御部は、前記第１制御信号および前記第２制御信号がいずれも受信され互いに異なる時は前記第１制御信号を優先することを特徴とする請求項２記載の照明装置。
【請求項４】
前記制御部は、前記第２制御信号の外部照明装置への伝達を指示することを特徴とする請求項１から３のいずれかに記載の照明装置。
【請求項５】
前記制御部は、前記１制御信号が前記発光部を消灯させる信号であるとき外部照明装置を消灯させる前記第２制御信号を外部照明装置へ伝達するよう指示することを特徴とする請求項４記載の照明装置。
【請求項６】
前記制御部は、前記１制御信号が前記発光部を点灯させる信号であるとき外部照明装置を点灯させる前記第２制御信号を外部照明装置へ伝達するよう指示することを特徴とする請求項４または５記載の照明装置。
【請求項７】
前記制御部は、前記１制御信号が前記発光部を点灯させる信号であるとき外部照明装置を消灯させる前記第２制御信号を外部照明装置へ伝達するよう指示することを特徴とする請求項４記載の照明装置。
【請求項８】
前記制御部は、前記第２受信部による前記第２制御信号の受信に応答してこれを外部照明装置に転送するよう指示することを特徴とする請求項４から７のいずれかに記載の照明装置。
【請求項９】
前記第２制御信号は、外部照明装置から無線で伝えられることを特徴とする請求項１から８のいずれかに記載の照明装置。
【請求項１０】
前記第２制御信号は、外部照明装置の照明光に含まれていることを特徴とする請求項１から８のいずれかに記載の照明装置。
【請求項１１】
前記制御部は、前記第２制御信号を外部照明装置に伝達するため前記発光部を制御することを特徴とする請求項１０記載の照明装置。
【請求項１２】
前記制御部は、前記第１制御信号が前記発光部を消灯するものであるとき前記第２制御信号の外部照明装置への伝達まで短時間点灯を続けその後消灯させることを特徴とする請求項１１記載の照明装置。
【請求項１３】
前記第２制御信号は、外部照明装置から有線で伝えられることを特徴とする請求項１から８のいずれかに記載の照明装置。
【請求項１４】
前記第２制御信号は、外部照明装置から電力線通信により伝えられることを特徴とする請求項１３記載の照明装置。
【発明の詳細な説明】
【技術分野】
【０００１】
本発明は、照明装置に関する。
【背景技術】
【０００２】
従来種々の目的のために種々の照明装置が提案されている。照明装置に用いられる光源としては蛍光灯が一般的であるが、近年ＬＥＤの利用も進んでいる。また、照明装置の制御についても種々の提案がなされている。例えば、照明システムにおいて、照明器具の周囲環境の各種検出情報に基づいて複数の聡明器具を制御し、照明器具の周囲環境に、より適した照明制御を行うようにし、さらに、システム設計の自由度を高くすることが提案されている。(特許文献１) 
【先行技術文献】
【特許文献】
【０００３】
【特許文献１】特開２００９−２０５８４１号公報
【発明の概要】
【発明が解決しようとする課題】
【０００４】
しかしながら、照明装置の制御に関しては、さらに検討すべき課題が多い。
【０００５】
本発明の課題は、上記に鑑み、有用な制御が可能な照明装置を提供することにある。
【課題を解決するための手段】
【０００６】
上記課題を達成するため、本発明は、発光部と、持ち運び可能な外部リモコンからの第１制御信号を受信可能な第１受信部と、外部照明装置からの第２制御信号を受信可能な第２受信部と、第１受信部および第２受信部の受信信号に基づいて発光部を制御する制御部とを有する照明装置を提供する。これによって、照明装置同士の連携による照明が可能となる。本発明の具体的な特徴によれば、第２制御信号は、発光部を点灯させる信号または発光部を消灯させる信号である。
【０００７】
本発明の他の具体的な特徴によれば、制御部は、第１受信部および第２受信部の信号受信状態および受信内容に基づいて発光部を制御する。これによって例えばリモコンの位置による第１制御信号の受信可不可や外部照明装置の状況に応じた種々の連携が可能となる。
【０００８】
本発明の他の具体的な特徴によれば、制御部は、第１受信部の受信信号がない状態で第２受信部が前記第２制御信号を受信したときに発光部を消灯させる。これによってリモコンの位置により照明装置が第１制御信号の受信範囲外となったときにも不要な点灯を防止して発光部を消灯させることが可能となる。
【０００９】
本発明の他の具体的な特徴によれば、制御部は、第１制御信号および第２制御信号のいずれによっても発光部を制御する。これによってリモコンの位置により照明装置が第１制御信号の受信範囲外となったときにも外部照明装置に連携して発光部を点灯または消灯させることが可能となる。
【００１０】
本発明の他の具体的な特徴によれば、制御部は、第１制御信号および第２制御信号がいずれも受信され互いに異なる時は第１制御信号を優先する。これによって、これによってリモコンの位置により照明装置が第１制御信号の受信範囲内にあるときはこれを優先した制御を行うことができ、常にリモコンの近くにある照明装置の制御が優先されて遠くにある照明装置がこれに連携するよう混乱のない制御が可能となる。
【００１１】
本発明の他の具体的な特徴によれば、制御部は、第２制御信号の外部照明装置への伝達を指示する。これによって、照明装置は自身の点灯および消灯制御を行うとともにこれに連携して外部照明装置を制御することができる。より具体的な特徴によれば、制御部は、１制御信号が前記発光部を消灯させる信号であるとき外部照明装置を消灯させる第２制御信号を外部照明装置へ伝達する。一方、制御部は、１制御信号が発光部を点灯させる信号であるとき外部照明装置を点灯させる第２制御信号を外部照明装置へ伝達するよう指示する。
【００１２】
上記本発明の他のより具体的な特徴によれば、制御部は、リモコンからの第１制御信号が発光部を点灯させる信号であるとき外部照明装置を消灯させる第２制御信号を外部照明装置へ伝達するよう指示する。これによって、リモコン近傍の照明装置が点灯させられたとき、リモコンの受信範囲にない遠くの外部照明装置を連携消灯させることができ、リモコンの位置に応じた適切な照明装置の制御が可能となる。
【００１３】
本発明の他のより具体的な特徴によれば、制御部は、第２受信部による第２制御信号の受信に応答してこれを外部照明装置に転送するよう指示する。これによって連携を連鎖させることができ、例えば広い範囲に配置された多数の照明装置を連鎖連携させることができる。
【００１４】
本発明の他の具体的な特徴によれば、第２制御信号は、外部照明装置から無線で伝えられる。さらに具体的な特徴によれば、第２制御信号は、外部照明装置の照明光に含まれている。より具体的な特徴によれば、制御部は、第２制御信号を外部照明装置に伝達するため発光部を制御する。
【００１５】
本発明の他の具体的な特徴によれば、第２制御信号は、外部照明装置から有線で伝えられる。さらに具体的な特徴によれば、第２制御信号は、外部照明装置から電力線通信により伝えられる。
【発明の効果】
【００１６】
上記のように、本発明によれば、複数の照明装置の連携により有用な制御が可能な照明装置を提供することができる。
【図面の簡単な説明】
【００１７】
【図１】本発明の実施の形態に係る照明装置の実施例を示すブロック図である。
【図２】複数の照明装置における単純独立モードの点灯状況ブロック図である。
【図３】複数の照明装置における連携全灯制御モードの点灯状況ブロック図である。
【図４】複数の照明装置の連携部分制御モードにおいて第１部分が点灯している状態を示す点灯状況ブロック図である。
【図５】複数の照明装置の連携部分制御モードにおいて点灯部分を第２部分に変更した状態を示す点灯状況ブロック図である。
【図６】複数の照明装置における相互可視光通信のタイミング図である。
【発明を実施するための形態】
【００１８】
図１は、本発明の実施の形態に係る照明装置の実施例を示すブロック図である。実施例は、独立に制御可能な複数のＬＥＤ照明装置およびリモコンを含むが、図１では簡単のため、第１ＬＥＤ照明装置２および第２ＬＥＤ照明装置４の二つを図示し、これと一つのリモコン６との関係を説明する。なお、第１ＬＥＤ照明装置２と第２ＬＥＤ照明装置４は天井に隣接して配置されているものとする。また、リモコン６は操作者８がこれを操作するものとする。照明装置の内部構成については第１ＬＥＤ照明装置２について説明し、これと同じ構成の第２ＬＥＤ照明装置４については、十の位と一の位が共通する百番台の番号を付し、必要のない限り個々の説明は省略する。
【００１９】
第１ＬＥＤ照明装置２は、可視照明光１１を発生する第１発光部１０を有し、家庭電力線に接続される第１電源部１２から給電を受けて発光する。また、第１発光部１０の発光は、マイクロコンピュータ等を含む第１照明制御部１４によって制御される。第1記憶部１６は、第１照明制御部１４の機能を実行するためのプログラムを記憶するとともに、制御に必要な種々のデータを一時記憶する。第１照明制御部１４は、リモコン６の赤外通信部１８からの赤外光２０を受信する第１赤外通信部２２からの信号に応じ、第１発光部１０の発光のオン・オフおよび明るさ調節（以下「調光」と称する）を行う。
【００２０】
上記のようなリモコン６による制御に加え、第１照明制御部１４は、第１人感センサ２４による検出信号に応答して第１発光部１０の発光のオン・オフおよび調光を行う。具体的に述べると、第1人感センサ２４は、人体からの赤外線２３の検出により、第１発光部１０の照明直下の所定範囲内における人体の存否に応じた検出信号を出力しており、第１照明制御部１４は、第１人感センサ２４の検出信号に基づいて第１発光部１０の発光のオン・オフおよび調光を行う。第１照明制御部１４はさらに、隣接する第２ＬＥＤ照明装置４の第２発光部１１０からの可視照明光１１１を傍受する第１受光部２６の検出信号に応じ、第１発光部１０の発光のオン・オフおよび調光を行う。同様にして、第２ＬＥＤ照明装置４の第２照明制御部１１４も、第１ＬＥＤ照明装置２の第１発光部１０からの可視照明光１１を傍受する第２受光部１２６の検出信号に応じ、第２発光部１１０の発光のオン・オフおよび調光を行う。
【００２１】
なお、第１発光部１０および第２発光部１１０の調光は、ＰＷＭ制御によるデューティーサイクルの変化によって行われる。このとき、明るさを決める全体としてのデューティーサイクルは変わらないようにしてＰＷＭ制御の制御パルスのタイミングを変更することで第１発光部１０または第２発光部１１０からの可視照明光１１または１１１に制御情報を乗せる。第１受光部２６または第２受光部１２６は、それぞれ、上記のようにして制御情報が乗った相手側の可視照明光１１１または１１を傍受し、制御情報を検出する。このような可視照明光による相互制御情報のやりとりの詳細は後述する。なお、第１発光部１０または第２発光部１１０が消灯するタイミングで制御信号を送信する必要があるときは、第１発光部１０または第２発光部は消灯に先立って可視照明光１１または１１１を乗せた短時間発光を続け、その後消灯する。
【００２２】
リモコン６は、オンオフ操作部２８の制御に基づきリモコン制御部３０が赤外通信部１８に照明装置のオンオフを行うための赤外光２０を送信させる。また、リモコン制御部３０は、調光操作部３２の操作に基づき、赤外通信部１８に照明装置の調光を行うための赤外光を送信させる。さらに、リモコン制御部３０は、指示操作部３４の操作に基づき、赤外通信部１８に点灯状態変更の指示を行うための赤外光を送信させる。上記の制御において、各照明装置はそれぞれ異なったチャンネルが設定可能となっており、赤外通信部１８からチャンネル指定情報を含む赤外光を送信することで、各照明装置を個別に制御できるようになっている。
【００２３】
以上のような構成における図１の状態における操作者等の位置について説明すると、操作者８は第２ＬＥＤ照明装置４の第２人感センサ１２４に感知される位置にあるとともに、操作者８が操作するリモコン６からの赤外光２０は、それぞれ第１ＬＥＤ照明装置２の第１赤外通信部２２および第２ＬＥＤ照明装置４の第２赤外通信部１２２によって検知される位置にある。なお、操作者８は、第１ＬＥＤ照明装置２の第１人感センサ２４に感知される位置にない。一方、同室者３６は、第１ＬＥＤ照明装置２の第１人感センサ２４に感知されるとともに第２ＬＥＤ照明装置４の第２人感センサ１２４には感知されない位置にいる。
【００２４】
次に、上記の状態における点灯制御について説明する。まず、人感部分点灯モードにおいて、操作者８がオンオフ操作部２８による照明装置のオン操作を行うと、リモコン６からの赤外光２０が第２ＬＥＤ照明装置４の第２赤外通信部１２２によって検知され、さらに第２人感センサ１２４が操作者８を感知するので第２照明制御部１１４は第２発光部１１０を点灯させる。一方、リモコン６からの赤外光２０は第１ＬＥＤ照明装置２の第１赤外通信部２２によっても検知されるとともに、第１人感センサ２４が同室者３６を感知するので第１照明制御部１４は第１発光部１０を点灯させる。ここで、仮に同室者３６がいないとすると、リモコン６からの赤外光２０は第１ＬＥＤ照明装置２の第１赤外通信部２２によっても検知されるが、第１人感センサ２４による感知がないので第１照明制御部１４は第１発光部１０を点灯させない。以上のようにして、人感部分点灯オードにおける第１照明制御部１４および第２照明制御部１１４は、リモコン６からの赤外光２０、および人体からの赤外線２３および１２３の検出状況に基づいてそれぞれ第１発光部１０および第２発光部の点灯または消灯を制御する。なお、上記の説明においては、第１受光部２６および第２受光部１２６における可視照明光による相互制御情報のやりとりに基づく制御機能は省略している。
【００２５】
図２から図５は、６つの照明装置２、４、４０、４２、４４、４６を天井に配置するとともに、これを一つのリモコン６で制御する場合の種々の制御状況を説明する点灯状況ブロック図である。なお、各照明装置の構成は、図１と同様であるが、図２から図５においては、人感センサ２４、１２４などの機能なしに点灯制御する単純制御モードについて説明するので、これら人感センサの図示を省略している。さらに、各受光部および各赤外通信部の検知と各発光部の点灯または消灯の因果関係を結論的に説明するので、これを仲介制御する各制御部についても図示を省略している。
【００２６】
上記の前提に基づき、図２から図５では、リモコン６からの赤外光２０の検知可能範囲および可視照明光による相互制御情報のやりとりによる制御について説明する。なお、図２から図５において太線で示したブロックの発光部は発光中であることを示し、細線で示したブロックの発光部は消灯中であることを示す。また白抜き実線の太矢印および各ブロック間の実線矢印は、発光部が点灯する由来となった制御信号の流れを示す。一方、白抜き破線の太矢印および各ブロック間の破線矢印は、発光部が消灯する由来となった制御信号の流れを示す。さらに、白矢印の中の丸印内数字は、原因と結果が連鎖している時の連鎖順を示す。また、各ブロックにおいて煩雑を避けるため、ＬＥＤ照明装置内の各ブロックの番号は説明に必要がない限り省略する。
【００２７】
まず、図２は単純独立モードにおける点灯状況ブロック図である。単純独立モードとは、人感センサを関与させず、なおかつ赤外通信部１８からは、チャンネルを指定した赤外光２０が送信されるモードである。図２では、第２ＬＥＤ照明装置４を指定する赤外光２０が送信されている例を示しており、赤外光２０の到達範囲にあって自チャンネルを指定する赤外光２０を検知した第２赤外通信部１２２の出力に基づいて、第２発光部１１０が点灯している。第１赤外通信部２２および第３赤外通信部２２２も同じ赤外光２０の到達範囲にありこれを受光しているが、自分のチャンネルが指定されていないので、第１発光部１０および第３発光部２１０を発光させることはない。さらに、第４赤外通信部３２２、第５赤外通信部４２２および第６赤外通信部５２２は、そもそも赤外光２０の受光範囲内にないので。第４発光部３１０、第５発光部４１０および第６発光部５１０を点灯させることはない。
【００２８】
図３は連携全灯制御モードにおける点灯状況ブロック図である。連携全灯制御モードとは、各ＬＥＤ照明装置を連携または連鎖させることにより、リモコン６をどの位置で操作して赤外光２０を送信したとしても、全ての各ＬＥＤ照明装置が連携して点灯または消灯するモードである。図３では点灯制御する場合について説明するが、消灯制御の場合も同様である。また、リモコン６の位置は、図２と同様にして第１赤外通信部２２、第２赤外通信部１２２および第３赤外通信部２２２が、同じ赤外光２０の到達範囲にあるとする。また、連携全灯制御モードにおける赤外光は全ＬＥＤ照明装置に共通に設定された連携チャンネルにより送信される。この連携チャンネルはいずれかのＬＥＤ照明装置の指定チャンネルと重複していてもよい。このようにして、各ＬＥＤ照明装置はモードに応じ自チャンネルまたは連携チャンネルの指定に応答して制御されることになるが、連携全灯制御モードでは、連携チャンネルに応答するよう設定される。
【００２９】
以上の前提において、連携チャンネルにおいて赤外光２０が送信されると、連鎖順(1)に示すように、まず赤外光２０の到達範囲にある第１赤外通信部２２、第２赤外通信部１２２および第３赤外通信部２２２がこれを検知し、第１発光部１０、第２発光部１１０および第３発光部２１０をそれぞれ点灯させる。なお、このとき連鎖順(2)で示すように、第１発光部１０からの可視光１１、第２発光部１１０からの可視光１１１、２１１および第３発光部２１０の可視光３１１は互いに隣り合う第１受光部２６、第２受光部１２６および第３受光部２２６でそれぞれ受信され、この結果、隣り合うＬＥＤ照明装置が相互に受信しあうことによって、それぞれ第１発光部１０、第２発光部１１０、第３発光部２１０およびを発光させる制御を行う。但し、ＬＥＤ照明装置が既にそれぞれ赤外光２０の受信により正常に点灯している限り、上記可視光通信での制御によっては何も起こらない。
【００３０】
しかしながら、万一、第１赤外通信部２２、第２赤外通信部１２２および第３赤外通信部２２２のいずれかに故障があって点灯が行われなければ、フェイルセーフ機能として上記の可視光通信による相互制御により点灯が可能となる。例えば、第２赤外通信部１２２が故障しているとするとリモコン６から第２ＬＥＤ照明装置４への赤外光２０による(1)の制御では点灯が不可能となる。しかし、このときリモコン６から第１ＬＥＤ照明装置２または第３ＬＥＤ照明装置４０への(1)の制御およびこれに連鎖する第１ＬＥＤ照明装置２または第３ＬＥＤ照明装置４０から第２ＬＥＤ照明装置４への可視光１１または３１１による(2)の制御に基づいて第２ＬＥＤ照明装置４が点灯する。
【００３１】
また、上記のように、第２ＬＥＤ照明装置４への可視光通信による(2)の連鎖は、両隣で生じるので、上記において、さらに第１ＬＥＤ照明装置２の第１発光部１０が点灯しないという深刻な故障があったとしても、リモコン６から第３ＬＥＤ照明装置４０への(1)の制御およびこれに連鎖する第３ＬＥＤ照明装置４０から第２ＬＥＤ照明装置４への可視光３１１による(2)の制御がフェイルセーフとして機能し、第２ＬＥＤ照明装置４を点灯させることは可能である。なお、図３に基づく上記の説明では、第２ＬＥＤ照明装置４とこの両隣の第１ＬＥＤ照明装置２と第３ＬＥＤ照明装置との関係のみに言及したが、一般には、例えばＬＥＤ照明装置がマトリクス状に配置されている場合、基本的にそれぞれ隣接する４方の４経路、辺のＬＥＤ照明装置では３経路、角のＬＥＤ照明装置では２経路の複数のフェイルセーフ経路が成立することになる。さらに、上記では、簡単のため、隣り合わせのＬＥＤ照明装置間の通信についてのみ説明したが、実際には、可視光通信による相互制御は、それぞれの発光部の直接および間接の照明範囲において充分な光強度が確保できる限り、互いに離れたＬＥＤ照明装置間でも可能なので、フェイルセーフ経路はさらに多くなる。
【００３２】
次に、第４ＬＥＤ照明装置４２、第５ＬＥＤ照明装置４４および第６ＬＥＤ照明装置４６の点灯制御について説明する。上記のように、モコン６から第１ＬＥＤ照明装置２または第３ＬＥＤ照明装置４０への(1)の制御により第１発光部１０および第３発光部２１０が点灯するので、その照明範囲にある隣接する第４ＬＥＤ照明装置４２および第６ＬＥＤ照明装置４６に対し、それぞれ可視光４１１および５１１で示す(2)の制御が連鎖する。これによって、第１発光部１０および第３発光部２１０の可視光を傍受する第４受光部３２６および第６受光部５２６がそれぞれ第４発光部３１０および第６発光部４１０を点灯させる。この点灯に連鎖して、さらに第４ＬＥＤ照明装置４２または第６ＬＥＤ照明装置４６から第５ＬＥＤ照明装置４４に対し、可視光６１１および７１１で示す(3)の制御が成立し、第４発光部３１０の可視光６１１または第６発光部４１０の可視光７１１を傍受する第５受光部４２６が第５発光部４１０を点灯させる。この場合も、第５発光部４１０の点灯に至る経路は２つあり、互いにフェイルセーフ経路として機能する。
【００３３】
図４および図５は、連携部分制御モードにおける点灯状況ブロック図であり、図４では第１部分が点灯している状態を示し、図５では点灯部分を第２部分に変更した状態を示す。この点灯部分の変更は、リモコン６を操作する位置を変えることにより可能となり、基本的に操作されるリモコン６の近辺にあるＬＥＤ照明装置が点灯するとともにリモコンから離れているＬＥＤ照明装置は消灯する。
【００３４】
まず図４の状態について説明する。図４の状態では、リモコン６を持った操作者が第１ＬＥＤ照明装置２、第２ＬＥＤ照明装置４および第３ＬＥＤ照明装置４０の近傍にいるものとする。この状態でリモコン６が操作され、連携部分制御モードにおいて連携チャンネルで赤外光２０が送信されると、その到達範囲にある第１赤外通信部２２、第２赤外通信部１２２および第３赤外通信部２２２がこれを検知し、第１発光部１０、第２発光部１１０および第３発光部２１０をそれぞれ点灯させる。連携部分制御モードにおいては点灯制御の連鎖はないので、以上で制御が終了する。因みに、ＬＥＤ照明装置の点灯により、赤外光２０の到達範囲外で既に点灯しているＬＥＤ照明装置を消灯させるための可視光による連携が生じるが、図４では該当するＬＥＤ照明装置がないので、このような連鎖については図５で説明する。
【００３５】
なお、図４の状態では、リモコン６を持った操作者が第４ＬＥＤ照明装置４２、第５ＬＥＤ照明装置４４および第６ＬＥＤ照明装置４６から離れており、第４赤外通信部３２２、第５赤外通信部４２２および第６赤外通信部５２２は、そもそも赤外光２０の受光範囲内にないので、連携チャンネルでリモコン６が操作されても、第４発光部３１０、第５発光部４１０および第６発光部５１０が点灯することはない。
【００３６】
次に、図４の状態から操作者８が第１ＬＥＤ照明装置２、第２ＬＥＤ照明装置４および第３ＬＥＤ照明装置４０を離れ、第４ＬＥＤ照明装置４２、第５ＬＥＤ照明装置４４および第６ＬＥＤ照明装置４６の近傍に移動してリモコン６により点灯操作を行ったものとする。図５はこの操作の結果の点灯状態を示す。この点灯操作により、連携部分制御モードにおいて連携チャンネルで連鎖順(1)に示すような赤外光２０が送信されると、その到達範囲にある第４赤外通信部３２２、第５赤外通信部４２２および第６赤外通信部５２２がこれを検知し、第４発光部３１０、第５発光部４１０および第６発光部５１０をそれぞれ点灯させる。点灯に関する連鎖はこれで終了するが、図４では、第１ＬＥＤ照明装置２、第２ＬＥＤ照明装置４および第３ＬＥＤ照明装置４０が点灯していたのでこれらを消灯させる連鎖が生じる。
【００３７】
具体的に述べると、第４発光部３１０および第６発光部５１０の点灯により、連鎖順(2)で示すように、第４発光部１０からの可視光８１１および第６発光部５１０からの可視光９１１による連携消灯信号がそれぞれ隣り合う第１受光部２６および第３受光部２２６でそれぞれ受信される。そして、第１発光部１０および第３発光部は、これまで図４のように点灯しておりかつ連携消灯信号受信時においてリモコン６からの点灯信号を赤外通信部２２および２２２が受光していないので、この条件成立により、それぞれ消灯する。なお、第１発光部１０および第３発光部は、消灯に先立ち、第１受光部２６および第３受光部２２６が検知した連携消灯信号を連鎖順(3)で示すように連携消灯信号に基づき中継発光する。これらの連携消灯信号はいずれも隣り合う第２受光部１２６で受信検知され、第２発光部１１０は、図４のようにこれまで点灯しておりかつ消灯信号受信時においてリモコン６からの点灯信号を赤外通信部１２２が受光していないので、この条件成立により消灯する。以上により、第４発光部３１０、第５発光部４１０および第６発光部５１０（第１部分）の点灯に連鎖して、これまで点灯していた第１ＬＥＤ照明装置２、第２ＬＥＤ照明装置４および第３ＬＥＤ照明装置４０（第２部分）が連携消灯する。また、このような消灯連携信号についても、図３の連携全灯制御モードの説明で述べたような複数経路による連鎖（例えば図５における第２発光部の消灯経路）が生じるのでそれぞれの経路が互いにフェイルセーフとして機能する。
【００３８】
上記の図４および図５の説明は、簡単のため、第１部分と第２部分が隣接しており、かつ可視光通信が隣接するＬＥＤ照明装置間で行われることを前提に説明した。しかしながら、連携は旧点灯部分と新点灯部分が隣接している場合に限らない。上記実施例によれば、消灯連携信号を受けたＬＥＤ照明装置で消灯中のものは、中継目的で短期間点灯する。この点灯の総エネルギーは弱いので人間の目には感知されない。これによって、消灯しているＬＥＤ照明装置が経路の途中に介在していても消灯連携信号は順次連鎖し、点灯しているＬＥＤ照明装置に至ってこれを消灯させる。なお、図３の連携全灯制御モードの説明で述べたように、それぞれの発光部の直接および間接の照明範囲において充分な光強度が確保できる場合は、隣り合わせのＬＥＤ照明装置間に限らず、互いに離れたＬＥＤ照明装置間でも可視光通信が可能となる。従って、このような場合の消灯連携信号は、消灯しているＬＥＤ照明装置が経路の途中に介在していても、その中継なしに直接、あるいは適宜中継を省略して、点灯しているＬＥＤ照明装置に至り、これを消灯させることができる。
【００３９】
図６は、図２から図６に示した第１ＬＥＤ照明装置２から第６ＬＥＤ照明装置４６における相互可視光通信のタイミング図である。図６（Ａ）は、各ＬＥＤ照明装置に共通に電源供給を行っている交流電力線の５０Ｈｚまたは６０Ｈｚから生成された基準タイミング信号であり、例えばｔ１、ｔ９に示すその立ち上がりにより各ＬＥＤ照明装置における可視光通信のタイミング合わせが行われる。図６（Ｂ）から図６（Ｇ）は、それぞれ第１ＬＥＤ照明装置２から第６ＬＥＤ照明装置４６に対して基準タイミング信号を元に割り当てられる送信および受信タイミングを示している。
【００４０】
図６においてｔ１からｔ８までが通信に割り当てられる時間帯であり、ｔ８からｔ９が調光のためのＰＷＭ制御に充てられる時間帯である。つまり、ｔ８からｔ９の時間帯においてＰＷＭ制御を行い、そのデューティーサイクルを変化させることにより調光が行われる。一方、ｔ１からｔ８の時間帯においては、各ＬＥＤ照明装置は基本的に非発光状態にあり、その受光部が他のＬＥＤ照明装置からの通信用可視光を受信できるよう待機している。そして、それぞれのＬＥＤ照明装置に割り当てられた時間帯でのみオンオフ制御されて通信用可視光を発信する。
【００４１】
具体的には、図６（Ｂ）は、第1ＬＥＤ照明装置２のタイミング図であり、時間帯ｔ２からｔ３の間が通信用可視光を発信可能な送信時間帯であり、この時間帯において他のＬＥＤ照明装置は非発光状態にあって第1ＬＥＤ照明装置２からの通信用可視光を受信するよう待機している。また、第1ＬＥＤ照明装置２はｔ１からｔ２およびｔ３からｔ８の時間帯は非発光状態にあって他のＬＥＤ照明装置２からの通信用可視光を受信するよう待機する。同様にして、図６（Ｃ）は、第２ＬＥＤ照明装置４のタイミング図であり、時間帯ｔ３からｔ４の間が送信時間帯で、他は非発光待機時間帯である。図６（Ｄ）から図６（Ｇ）はそれぞれ、第３ＬＥＤ照明装置４０から第６ＬＥＤ照明装置４６のタイミング図であるが、上記と同様にして理解できるので説明は省略する。
【００４２】
上記図６においては、説明の便のため、ｔ１からｔ８の時間帯が比較的大きくなるよう図示しているが、実際には、ｔ１からｔ８の時間帯に対するｔ８からｔ９の時間帯の割合を適宜大きくすることでデューティーサイクルの最大値を大きくし、ＰＷＭ制御による調光のダイナミックレンジを広げることができる。
【００４３】
以上では説明の便のため、図１において、リモコン６からの赤外光２０、および人体からの赤外線２３および１２３の検出状況に基づく制御について述べるとともに、図２から図６では、リモコン６からの赤外光２０および可視照明光による相互制御情報のやりとりによる制御について述べる形で説明を分けた。したが、実際には、これらを組合せ、リモコン６からの赤外光２０の検知、人体からの赤外線２３および１２３の検出、および可視照明光による相互制御情報のやりとりに基づいて種々の制御を行うことが可能である。
【００４４】
本発明の実施にあたっては、上記の実施例に限らず、本発明の利点を享受できる限り、他の種々の実施例において本発明を実施することができる。例えばＬＥＤ照明装置間の連携のための相互通信は、上記実施例に示したような可視光通信に限らず、互いの間の有線通信によっても可能である。また有線通信としては各ＬＥＤ照明装置の電源部に電力を供給している電力線を通じた電力線通信を採用することもできる。
【産業上の利用可能性】
【００４５】
本発明は、例えば工場やオフィスなど比較的広い部屋や設備の照明装置に適用することができる。
【符号の説明】
【００４６】
１０、１１０、２１０、３１０、４１０、５１０  発光部
６  リモコン
２２、１２２、２２２、３２２、４２２、５２２  第１受信部
２６、１２６、２２６、３２６、４２６、５２６  第２受信部
１４、１１４  制御部
【図１】
0005719616.tif 000002
【図２】
0005719616.tif 000003
【図３】
0005719616.tif 000004
【図４】
0005719616.tif 000005
【図５】
0005719616.tif 000006
【図６】
0005719616.tif 000007